(57)【要約】  本発明の検出装置においては、気体または蒸気のサンプルが、筒部２を介してイオン移動度計１へと供給される。前記筒部２は、問題のある物質が筒部２に付着することを低減させるよう選択されたフッ素化エチレンプロピレンで構成され、また、前記筒部２は、その長さに沿って熱されることによって、その付着力がさらに低減される。前記筒部２は、該筒部２を介して気体及び蒸気を吸引するファン４を覆う容器３の中に開口され、分光器１の入口開口部１０の近くに配置される。前記筒部２は柔軟性を有していてもよく、また、前記分光器１から遠く離れた場所からサンプリングするためにある程度離れたところまで伸びていてもよい。
2010531449.tif 000002
【特許請求の範囲】
【請求項１】
検出器と入口部材とが設けられた検出装置において、
前記入口部材には、問題となる物質の付着を低減させるように構成された内側面（５）を有する筒部（２）が設けられ、かつ、
前記検出装置には、前記筒部（２）に沿って前記検出器（１）へと気体または蒸気を吸引するための部材（４）が設けられている
ことを特徴とする検出装置。
【請求項２】
前記内側面が、熱可塑性フッ素重合体で構成されていることを特徴とする請求項１に記載の検出装置。
【請求項３】
前記筒部全体が、熱可塑性フッ素重合体で構成されていることを特徴とする請求項１又は２に記載の検出装置。
【請求項４】
前記熱可塑性フッ素重合体がフッ素化エチレンプロピレンとされることを特徴とする請求項２又は３に記載の検出装置。
【請求項５】
前記筒部が第一の材料で構成され、かつ、該筒部には、該筒部の内面に露出する、前記第一の材料とは異なる第二の材料からなる層が設けられていることを特徴とする請求項１又は２に記載の検出装置。
【請求項６】
前記第二の材料がフッ素化エチレンプロピレンとされることを特徴とする請求項５に記載の検出装置。
【請求項７】
前記筒部が柔軟性を有していることを特徴とする請求項１乃至６の何れか一項に記載の検出装置。
【請求項８】
前記筒部が加熱されていることを特徴とする請求項１乃至７の何れか一項に記載の検出装置。
【請求項９】
前記検出器には、イオン移動度計が設けられていることを特徴とする請求項１乃至８の何れか一項に記載の検出装置。
【請求項１０】
前記入口部材には、前記検出器（１）の入口（１０）が設けられ、
前記筒部（２）の内径が、前記入口（１０）の外径よりも大きいものとされ、
前記筒部（２）の一端が、前記入口（１０）の近くに配置され、そして、
前記筒部及び前記入口の両方が、容器（３）内に開口するように構成されている
ことを特徴とする請求項１乃至９の何れか一項に記載の検出装置。
【請求項１１】
前記筒部（２）に沿って気体または蒸気を吸引するための部材には、気体または蒸気を前記筒部（２）から前記入口（１０）を越して前記容器（３）内に吸引するファン（４）が設けられていることを特徴とする請求項１０に記載の検出置。
【請求項１２】
請求項１乃至１１の何れか一項に記載された検出装置に設けられる筒部。
【発明の詳細な説明】
【技術分野】
【０００１】
本発明は、検出器及び入口部材を有する種類の検出装置に関する。
【背景技術】
【０００２】
近年、ポイント検出によって気体分析装置又はＩＭＳ検出装置などの検出装置の最適動作が達成されている。
【発明の概要】
【発明が解決しようとする課題】
【０００３】
上記の技法は、小さな閉じた容積の分析が必要とされる有害な環境下、又はその他の様々な状況下での使用には適していない。
【課題を解決するための手段】
【０００４】
本発明の第一の見地からみると、本発明によって、上記の種類の検出装置が提供されるが、この検出装置には、問題となる物質が付着するのを低減させるように構成された内側面を有する筒部が入口部材に設けられ、そして、前記検出装置には、前記筒部に沿って検出器へ気体又は蒸気を吸引するための部材が設けられている。
【０００５】
前記検出装置における筒部の内側面は熱可塑性フッ素重合体で構成され、そして、前記筒部全体はフッ素化エチレンプロピレンなどの熱可塑性フッ素重合体で構成されている。また、前記検出装置における筒部は、第一の材料で構成され、かつ、前記筒部には、その内側面に、前記第一の材料とは異なる第二の材料からなる層が露出して設けられていてもよい。前記第二の材料は、フッ素化エチレンプロピレンでもよい。前記筒部は柔軟性を有していてもよい。前記検出器には、イオン移動度計(ion mobility spectrometer)が設けられてもよい。前記入口部材には前記検出器の入口が設けられていてもよく、前記筒部の内径が前記入口の外側径よりも大きくなるように構成されていてもよく、前記筒部の一端が前記入口の近くに設けられていてもよく、そして、前記筒部及び前記入口の両方が容器内に開口していてもよい。前記筒部に沿って気体又は蒸気を吸引するための部材には、前記入口を越して容器内に気体又は蒸気を吸引するファンが設けられていてもよい。
【０００６】
本発明の別の見地から見ると、本発明によって、本発明の上記の見地に係る検出装置に設けられる筒部が提供される。
【図面の簡単な説明】
【０００７】
【図１】本発明に係る装置の概略図である。
【発明を実施するための形態】
【０００８】
本発明に係る検出装置を、例を用いて、検出器を概略的に示す図面を参照して、以下に記載する。
【０００９】
前記検出装置には、イオン移動度計（ＩＭＳ）などの検出器又はセンサー１と、該センサーと接続する筒部２と、が設けられている。前記センサーは、上記以外のものであってもよい。前記センサー１には、サンプル容器３が取り付けられていて、該サンプル容器３に設けられたファン４などの部材によって前記筒部２内に大量の低圧空気流がつくられる。前記筒部２の内側端は、円筒状の取り付けスリーブに取り付けられて、前記検出器１の入口開口部１０と同軸上に配列されている。前記筒部２の内側端は前記入口開口部１０の近くに配置され、そして、その筒部の内径は、実質的に前記入口開口部の外径よりも大きくなるよう構成されている。前記入口開口部１０は、取り付けスリーブの中にわずかに突出して設けられているので、前記筒部２から出てくる気体及び蒸気は、該入口開口部１０を越えて流れるとともに該開口部の外周囲に流れ、そのために、いくらかの気体又は蒸気が該開口部内に入り、そして、残りの気体または蒸気が容器３内に流れる。
【００１０】
前記筒部２は柔軟性を有していても又は硬くてもよいが、その筒部２には、表面付着を最小限にとどめるように構成された内側面５が設けられている。そのような内側面が設けられていないと、化学物質が前記筒部の内側面に付着してしまうことで、センサーが誤った警告を生成したり検出器の感度が低下したりする。前記筒部２は、好ましくは全体がＦＥＰ（フッ素化エチレンプロピレン）などの熱可塑性フッ素重合体で構成されている。この熱可塑性フッ素重合体は押出された形で入手可能であり、かつ、例えば約２ｍ以下の短い距離にわたって全ての化学兵器物質を蒸気の形で通過させるのに適している。また、前記筒部の本体を第一の材料で構成し、該筒部の内側をコーティングして、該筒部の内側面に、第一の材料とは異なる例えばＦＥＰなどの第二の材料からなる非付着層を露出させ設けることもできる。前記筒部２はその全体の長さに沿って加熱されることによって、問題となる化学物質の付着力が低減され、検出性能が最適化される。
【００１１】
本発明の検出装置においては、高速で移動する大きな容積のサンプル空気は、サンプリングポイントから筒部２へと移動され、次に入口１０を越してセンサー１（サンプル空気の分析が行われる場所）に移動され、そして、サンプル容器３内に移動されてそこから大気中へと排出される。
【００１２】
上記の入口部材により、サンプリングポイントを、センサー１から遠く離れたところに移動させることが可能となり、より新しい応用の範囲が広がる。
【００１３】
具体的には、本発明によって、気体分析装置又は検出装置に接続された遠隔サンプリングシステムが提供されるが、前記検出装置は、特に、空気をサンプリングして気体または蒸気のいずれかの形の有害な物質を検出するのに適している。
【００１４】
前記検出装置は、離れた、目立たないサンプリングに用いることができる。例えば、場所及び性質が不要な社会的懸念事項となるような、公共空間での使用のために設計された化学早期警告システムは、空気サンプリングを必要とするであろう。
【００１５】
また、前記検出装置により、有害である可能性のある環境下、例えば閉じた爆発性雰囲気中、閉じた放射性環境下、またはその他の人命に危険を及ぼすような閉じた大気中に、離れたサンプリングポイントを配置させることが可能となる。
【００１６】
本発明の検出装置のその他の応用には、通常の検出装置にはできない、小さな制限された容積の中におけるサンプリングが含まれる。これには例えば、自動製造中に、薬品容器／シリンダ又は瓶などにおけるわずかな漏れを見つけることが含まれる。
【図１】
2010531449.tif 000003
【国際調査報告】
2010531449.tif 000004
2010531449.tif 000005
2010531449.tif 000006